【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
遊技球が流下可能な遊技領域に、遊技球が転動可能な転動遊技領域を有する遊技部材を備え、
前記転動遊技領域には、左右方向へ並行して延在する手前側の第１転動部と奥側の第２転動部とが設けられるとともに、
前記第１転動部及び第２転動部の左右方向両端部において、前記第１転動部から前記第２転動部へと遊技球を誘導可能な補助転動部が前記両転動部に連通するように設けられ、
前記第１転動部は、
その左右方向の略中央部が両端部より低い湾曲形状に構成されるとともに、
当該第１転動部の左右方向略全域が前記第２転動部より低くなるよう構成され、
前記補助転動部が連設される前記第１転動部の端部の高さが、前記補助転動部の連設される前記第２転動部の端部の高さ以上となるよう構成され、
前記補助転動部は、
前記第１転動部と通じる入口部と前記第２転動部と通じる出口部とが同じ方向を向くように構成されるとともに、その底面部の少なくとも一部が前記第１転動部から前記第２転動部に向かって下方へ傾斜するよう構成され、
前記補助転動部における遊技球の動きを視認困難とさせるように前記補助転動部のほぼ全域を被覆する遮蔽部を備えたことを特徴とする遊技機。
【請求項２】
遊技球が流下可能な遊技領域に、遊技球が転動可能な転動遊技領域を有する遊技部材を備え、
前記転動遊技領域には、左右方向へ並行して延在する手前側の第１転動部と奥側の第２転動部とが設けられるとともに、
前記第１転動部及び第２転動部の左右方向両端部において、前記第１転動部から前記第２転動部へと遊技球を誘導可能な補助転動部が前記両転動部に連通するように設けられ、
前記第１転動部は、
その左右方向の略中央部が両端部より低い湾曲形状に構成されるとともに、
その奥側において当該第１転動部の左右方向略全域に延在し、前後方向の幅が遊技球の直径より狭くなるよう構成された特定転動面と、
前記特定転動面の手前側の左右方向略中央部において遊技球を排出可能に設けられた排出凹部と、
前記特定転動面の手前側かつ前記排出凹部の両側方においてそれぞれ前記排出凹部から前記特定転動面の左右方向端部までの区間に沿って設けられ、前記特定転動面に向けて下方へ傾斜した傾斜部とを備え、
少なくとも前記特定転動面の左右方向略全域が前記第２転動部より低くなるよう構成され、
前記補助転動部が連設される前記特定転動面の端部の高さが、前記補助転動部の連設される前記第２転動部の端部の高さ以上となるよう構成され、
前記遊技部材は、
前記特定転動面の左右方向の一端部近傍へ遊技球を案内し、かつ、前記特定転動面の左右方向の他端部に向けて遊技球を導出する案内手段を前記第１転動部の左右方向の両端部近傍それぞれに対応して備え、
前記補助転動部は、
前記第１転動部と前記第２転動部との境界線の延長線上をほぼ境にして、前記第１転動部に隣接する上流部と、前記第２転動部に隣接する下流部とに区分けされ、
前記第１転動部と通じる入口部と前記第２転動部と通じる出口部とが同じ方向を向くように構成されるとともに、その底面部の少なくとも一部が前記第１転動部から前記第２転動部に向かって下方へ傾斜するよう構成され、
当該補助転動部の上流側コーナー部分の一側壁部として構成され、前記第１転動部から当該補助転動部へ転動してくる遊技球に対して、その転動方向に奥方向への変化を加えるよう、当該一側壁部の壁面が左右方向に対して傾斜するよう構成された略平面状の作用部と、
前記作用部より下流側における当該補助転動部の一側壁部として構成されるとともに、当該一側壁部の壁面が、前記第１転動部を転動してくる遊技球の転動方向と相対向する方向を向くよう構成され、当該転動方向への遊技球の動きを規制する略平面状の規制部と、
前記規制部より下流側における当該補助転動部の下流側コーナー部分の一側壁部として構成され、前記作用部によって転動方向が変化した遊技球を前記第２転動部へ誘導する誘導部とを備え、
前記補助転動部における遊技球の動きを視認困難とさせるように前記補助転動部のほぼ全域を被覆する遮蔽部を備えたことを特徴とする遊技機。
【請求項３】
遊技球が流下可能な遊技領域に、遊技球が転動可能な転動遊技領域を有する遊技部材を備え、
前記転動遊技領域には、左右方向へ並行して延在する手前側の第１転動部と奥側の第２転動部とが設けられるとともに、
前記第１転動部及び第２転動部の左右方向両端部において、前記第１転動部から前記第２転動部へと遊技球を誘導可能な補助転動部が前記両転動部に連通するように設けられ、
前記第１転動部は、
その左右方向の略中央部が両端部より低い湾曲形状に構成されるとともに、
その奥側において当該第１転動部の左右方向略全域に延在し、前後方向の幅が遊技球の直径より狭くなるよう構成された特定転動面と、
前記特定転動面の手前側の左右方向略中央部において遊技球を排出可能に設けられた排出凹部と、
前記特定転動面の手前側かつ前記排出凹部の両側方においてそれぞれ前記排出凹部から前記特定転動面の左右方向端部までの区間に沿って設けられ、前記特定転動面に向けて下方へ傾斜した傾斜部とを備え、
少なくとも前記第１転動部の左右方向の略中央部が前記第２転動部の左右方向の略中央部より低くなるよう構成され、
少なくとも前記特定転動面の左右方向略全域が前記第２転動部より低くなるよう構成され、
前記補助転動部が連設される前記特定転動面の端部の高さが、前記補助転動部の連設される前記第２転動部の端部の高さ以上となるよう構成され、
前記遊技部材は、
前記特定転動面の左右方向の一端部近傍へ遊技球を案内し、かつ、前記特定転動面の左右方向の他端部に向けて遊技球を導出する案内手段を前記第１転動部の左右方向の両端部近傍それぞれに対応して備え、
前記補助転動部は、
前記第１転動部と前記第２転動部との境界線の延長線上をほぼ境にして、前記第１転動部に隣接する上流部と、前記第２転動部に隣接する下流部とに区分けされ、
前記第１転動部と通じる入口部と前記第２転動部と通じる出口部とが同じ方向を向くように構成されるとともに、その底面部の少なくとも一部が前記第１転動部から前記第２転動部に向かって下方へ傾斜するよう構成され、
当該補助転動部の上流側コーナー部分の一側壁部として構成され、前記第１転動部から当該補助転動部へ転動してくる遊技球に対して、その転動方向に奥方向への変化を加えるよう、当該一側壁部の壁面が前記転動してくる遊技球の進路を狭めていくように左右方向に対して傾斜するよう構成された略平面状の作用部と、
前記作用部より下流側における当該補助転動部の一側壁部として構成されるとともに、当該一側壁部の壁面が、前記第１転動部を転動してくる遊技球の転動方向と相対向する方向を向くよう構成され、当該転動方向への遊技球の動きを規制する略平面状の規制部と、
前記規制部より下流側における当該補助転動部の下流側コーナー部分の一側壁部として構成され、前記作用部によって転動方向が変化した遊技球を前記第２転動部へ誘導する誘導部とを備え、
前後方向に対して、前記作用部が前記特定転動面の前端部よりも前方位置において前記傾斜部と連接されるとともに、前記特定転動面の前端部よりも後方位置において前記規制部と連接され、
前記入口部の間口が遊技球の直径より広くなり、かつ、前記規制部の前記上流部に対応する部分の幅が遊技球の直径より狭くなるよう構成され、
遊技球の転動勢を規制しつつ、当該遊技球の転動方向を反転させ、当該遊技球を前記第２転動部へ導出できるよう構成され、
さらに、前記第１転動部と前記第２転動部との境界部において、前記規制部と相対向するように跳返り防止部が設けられ、
遊技球が前記規制部に当接した際には、当該遊技球の一部が前記規制部と前記跳返り防止部との間を介して前記補助転動部の下流部側へ突き出した状態となるよう構成され、
前記補助転動部における遊技球の動きを視認困難とさせるように前記補助転動部のほぼ全域を被覆する遮蔽部を備えたことを特徴とする遊技機。
【請求項４】
前記遊技部材は、識別情報を変動表示可能な可変表示装置の周囲を囲むセンターフレームによって構成されていることを特徴とする請求項１乃至３のいずれかに記載の遊技機。